(57)【要約】【課題】腰椎の過度の前湾を矯正することのできる姿勢改善の効果が期待できるウエアを提供する。【解決手段】矯正下着１０は、腰椎を矯正するための部位として、緊締力が強い高パワー生地を含めて構成されて腰部５００を押すための腰部押圧部４０と、高パワー生地を含めて構成されて腹部２００を押すための腹部押圧部３０と、高パワー生地よりも緊締力が弱い低パワー生地を含めて構成されて人体の側部に対応する側部矯正部２０とを備える。そして、腰部押圧部４０は、腹部押圧部３０よりも上方に位置する部分を含み、側部矯正部２０は、腰部押圧部４０および腹部押圧部３０と縫い合わせられる。【選択図】図６
2011256507.tif 000002
【特許請求の範囲】
【請求項１】
腰椎を矯正するための部位を含む姿勢改善の効果が期待できるウエアにおいて、
前記腰椎を矯正するための部位として、緊締力が強い高パワー生地を含めて構成されて腰部を押すための腰部押圧部と、前記高パワー生地を含めて構成されて腹部を押すための腹部押圧部と、前記高パワー生地よりも緊締力が弱い低パワー生地を含めて構成されて人体の側部に対応する側部矯正部とを備え、
前記腰部押圧部は、前記腹部押圧部よりも上方に位置する部分を含み、
前記側部矯正部は、前記腰部押圧部および前記腹部押圧部に縫い合わせられる
ことを特徴とする姿勢改善の効果が期待できるウエア。
【請求項２】
請求項１に記載の姿勢改善の効果が期待できるウエアにおいて、
前記側部矯正部は、人体の背中側から腹部側に向けて突出するように湾曲した部位である矯正部頂部を含み、
この矯正部頂部は、ウエストと対応する部位に設けられ、
前記腹部押圧部は、前記矯正部頂部に縫い合わせられる
ことを特徴とする姿勢改善の効果が期待できるウエア。
【請求項３】
請求項２に記載の姿勢改善の効果が期待できるウエアにおいて、
前記側部矯正部は、人体の上下方向において当該側部矯正部の上端から前記ウエストに対応する部位までにわたり形成された矯正部上部と、この矯正部上部と連続して形成されるとともに前記ウエストに対応する部位から当該側部矯正部の下端までにわたり形成された矯正部下部とを含み、
前記矯正部頂部は、前記矯正部上部および前記矯正部下部が互いに接続される部位を含み、
前記矯正部上部は、その上端から前記ウエストに対応する部位に向かうにつれて背中側から腹部側に向けて傾斜し、
前記矯正部下部は、前記ウエストに対応する部位から同当該正部下部の下端に向かうにつれて腹部側から背中側に向けて傾斜する
ことを特徴とする姿勢改善の効果が期待できるウエア。
【請求項４】
請求項３に記載の姿勢改善の効果が期待できるウエアにおいて、
前記側部矯正部は、人体の上下方向において胸部に対応する部位からウエスト前面の側部に対応する部位を介して臀部に対応する部位までにわたり設けられる
ことを特徴とする姿勢改善の効果が期待できるウエア。
【請求項５】
請求項２〜４のいずれか一項に記載の姿勢改善の効果が期待できるウエアにおいて、
前記腹部押圧部は、前記矯正部頂部に対して当該腹部押圧部の側部の上部である腹部上端部が縫い合わせられるものである
ことを特徴とする姿勢改善の効果が期待できるウエア。
【請求項６】
請求項１〜５のいずれか一項に記載の姿勢改善の効果が期待できるウエアにおいて、
前記腰部押圧部の上端は、背中に対応する部位に設けられ、
前記腹部押圧部の上端は、ウエストに対応する部位に設けられる
ことを特徴とする姿勢改善の効果が期待できるウエア。
【請求項７】
請求項１〜６のいずれか一項に記載の姿勢改善の効果が期待できるウエアにおいて、
当該ウエアは、胸部に対応する胸部被覆部を含み、
この胸部被覆部は、前記腹部押圧部の高パワー生地よりも緊締力が弱くかつ前記側部矯正部の低パワー生地よりも緊締力が強い中パワー生地を含めて構成されるものであり、前記側部矯正部および前記腹部押圧部のそれぞれに縫い合わせられるものである
ことを特徴とする姿勢改善の効果が期待できるウエア。
【請求項８】
請求項１〜７のいずれか一項に記載の姿勢改善の効果が期待できるウエアにおいて、
当該ウエアは、背中に対応する背中被覆部を含み、
この背中被覆部は、前記腰部押圧部の高パワー生地よりも緊締力が弱くかつ前記側部矯正部の低パワー生地よりも緊締力が強い中パワー生地を含めて構成されるものであり、前記側部矯正部および前記腰部押圧部のそれぞれに縫い合わせられるものである
ことを特徴とする姿勢改善の効果が期待できるウエア。
【請求項９】
請求項１〜８のいずれか一項に記載の姿勢改善の効果が期待できるウエアにおいて、
当該ウエアは、臀部に対応する臀部被覆部を含み、
この臀部被覆部は、前記腰部押圧部の高パワー生地よりも緊締力が弱くかつ前記側部矯正部の低パワー生地よりも緊締力が強い中パワー生地を含めて構成されるものであり、前記側部矯正部および前記腰部押圧部のそれぞれに縫い合わせられるものである
ことを特徴とする姿勢改善の効果が期待できるウエア。
【請求項１０】
請求項１〜９のいずれか一項に記載の姿勢改善の効果が期待できるウエアにおいて、
当該ウエアは、大腿の上部に対応する大腿被覆部を含み、
この大腿被覆部は、前記腹部押圧部の高パワー生地よりも緊締力が弱くかつ前記側部矯正部の低パワー生地よりも緊締力が強い中パワー生地を含めて構成されるものであり、前記側部矯正部および前記腹部押圧部のそれぞれに縫い合わせられるものである
ことを特徴とする姿勢改善の効果が期待できるウエア。
【発明の詳細な説明】
【技術分野】
【０００１】
本発明は、腰椎を矯正するための部位を含む姿勢改善の効果が期待できるウエアに関する。
【背景技術】
【０００２】
人体が立位において正しい姿勢にあるとき、腰椎は体の前方向に湾曲する（以下、このような腰椎の状態を「前湾」という）。しかし、腹直筋が弱まると腰椎を支えることができなくなり腰椎が過度に前湾する。また、これに起因して腰椎に接している胸椎が後方向に湾曲する。また、胸椎に接している頚椎の位置が体の前方向に移動する。このため、上半身全体が前屈みとなるいわゆる猫背になる。
【０００３】
このような猫背を改善するために、特許文献１に記載の補正用衣類では、腹部および腰部および脇部に伸縮性の強い生地を設けることにより、背骨下部の前湾を矯正して姿勢を改善するようにしている。
【先行技術文献】
【特許文献】
【０００４】
【特許文献１】特開２００５−２８１８９９号公報
【特許文献２】実登第３０６３５７６号公報
【発明の概要】
【発明が解決しようとする課題】
【０００５】
本願発明者は、腰椎を矯正して姿勢を改善するためには、過度に前湾した腰椎の下部を腹部側から背中側に向けて押圧するとともに、腰椎の上部および中央部を背中側から腹部側に向けて押圧することが好ましいことを確認した。なお、ここでいう腰椎の中央部とは、腰椎を人体の側部からみたときに最も腹部側に突出している部位およびその付近を含む部位を示す。
【０００６】
特許文献１の補正用衣類は、腰椎の下部を押圧するものでしかないため、腰椎の過度の前湾を矯正して姿勢を改善する効果を十分に期待することはできない。
なお、特許文献２には、体のラインを美しく見せるための補正下着として、緊締力が強い高パワー生地およびこれよりも緊締力が弱い低パワー生地を含めて構成したものが記載されている。しかし、この補正下着は腰椎の矯正を目的としたものではないため、腰椎を矯正することによる姿勢改善の効果は得られない。
【０００７】
本発明はこのような実情に鑑みてなされたものであり、その目的は、腰椎の過度の前湾を矯正することのできる姿勢改善の効果が期待できるウエアを提供することにある。
【課題を解決するための手段】
【０００８】
以下、上記目的を達成するための手段およびその作用効果について記載する。
（１）請求項１に記載の発明は、腰椎を矯正するための部位を含む姿勢改善の効果が期待できるウエアにおいて、前記腰椎を矯正するための部位として、緊締力が強い高パワー生地を含めて構成されて腰部を押すための腰部押圧部と、前記高パワー生地を含めて構成されて腹部を押すための腹部押圧部と、前記高パワー生地よりも緊締力が弱い低パワー生地を含めて構成されて人体の側部に対応する側部矯正部とを備え、前記腰部押圧部は、前記腹部押圧部よりも上方に位置する部分を含み、前記側部矯正部は、前記腰部押圧部および前記腹部押圧部に縫い合わせられることを要旨としている。
【０００９】
この発明によれば、ユーザが当該ウエアを着衣したとき、腰部に対応する部位に設けられた腰部押圧部の高パワー生地により、腰椎の上部および中央部には背中側から腹部側に向かう力が加えられる。また、腹部に対応する部位に設けられた腹部押圧部の高パワー生地により、腰椎の下部には腹部側から背中側に向かう力が加えられる。このように腰椎の上部および中央部と、腰椎の下部とに加えられる力は、前湾した腰椎を伸ばす力として作用するため、腰椎の過度の前湾を矯正することができる。従って、腰部および腹部という高さの異なる部位に対して、それぞれ背中側から腹部側および腹部側から背中側に向けて力が加えられるため、腰椎の過度の前湾を矯正することのできる姿勢改善の効果が期待できるウエアを提供することができるようになる。
【００１０】
（２）請求項２に記載の発明は、請求項１に記載の姿勢改善の効果が期待できるウエアにおいて、前記側部矯正部は、人体の背中側から腹部側に向けて突出するように湾曲した部位である矯正部頂部を含み、この矯正部頂部は、ウエストと対応する部位に設けられ、前記腹部押圧部は、前記矯正部頂部に縫い合わせられることを要旨としている。
【００１１】
この発明によれば、矯正部頂部がウエストと対応する部位に設けられているため、腹部押圧部により人体に対して腹部側から背中側に加えられる力が腰椎の下部に適切に作用する。このため、腰椎の過度の前湾を矯正する効果がより高くなる。
【００１２】
（３）請求項３に記載の発明は、請求項２に記載の姿勢改善の効果が期待できるウエアにおいて、前記側部矯正部は、人体の上下方向において当該側部矯正部の上端から前記ウエストに対応する部位までにわたり形成された矯正部上部と、この矯正部上部と連続して形成されるとともに前記ウエストに対応する部位から当該側部矯正部の下端までにわたり形成された矯正部下部とを含み、前記矯正部頂部は、前記矯正部上部および前記矯正部下部が互いに接続される部位を含み、前記矯正部上部は、その上端から前記ウエストに対応する部位に向かうにつれて背中側から腹部側に向けて傾斜し、前記矯正部下部は、前記ウエストに対応する部位から同矯正部下部の下端に向かうにつれて腹部側から背中側に向けて傾斜することを要旨としている。
【００１３】
この発明によれば、上端からウエストに対応する部位に向かうにつれて背中側から腹部側に向けて傾斜した矯正部上部、およびウエストに対応する部位から下端に向かうにつれて腹部側から背中側に向けて傾斜した矯正部下部を含めて側部矯正部が構成されているため、すなわち好ましい形状の腰椎に沿うように側部矯正部が構成されているため、腰椎の過度の前湾を矯正する効果がより高くなる。
【００１４】
（４）請求項４に記載の発明は、請求項３に記載の姿勢改善の効果が期待できるウエアにおいて、前記側部矯正部は、人体の上下方向において胸部に対応する部位からウエスト前面の側部に対応する部位を介して臀部に対応する部位までにわたり設けられることを要旨としている。
【００１５】
この発明によれば、胸部に対応する部位からウエスト前面の側部に対応する部位を介して臀部に対応する部位までにわたり側部矯正部が設けられているため、腰椎のより広い範囲に矯正のための力を作用させることができる。
【００１６】
（５）請求項５に記載の発明は、請求項２〜４のいずれか一項に記載の姿勢改善の効果が期待できるウエアにおいて、前記腹部押圧部は、前記矯正部頂部に対して当該腹部押圧部の側部の上部である腹部上端部が縫い合わせられるものであることを要旨としている。
【００１７】
この発明によれば、腹部押圧部により腹部側から背中側に加えられる力が腹部の下部から上部に向けて作用するため、腹部押圧部の側部の全体が側部矯正部に縫い合わせられるものと比べて、腰椎の下部に作用する力が大きくなる。従って、腰椎の過度の前湾を矯正する効果がより高くなる。
【００１８】
（６）請求項６に記載の発明は、請求項１〜５のいずれか一項に記載の姿勢改善の効果が期待できるウエアにおいて、前記腰部押圧部の上端は背中に対応する部位に設けられ、前記腹部押圧部の上端はウエストに対応する部位に設けられることを要旨としている。
【００１９】
この発明によれば、腰部押圧部の上端が背中に対応する部位に設けられているため、同腰部押圧部の上端がこれよりも低いところに設けられているものと比べて、腰椎の上部および中央部に対して背中側から腹部側に向けて加えられる力が大きくなる。これにより、腰椎の過度の前湾を矯正する効果がより高くなる。また、腹部押圧部の上端がウエストに対応する部位に設けられているため、同腹部押圧部の上端がこれよりも低いところに設けられているものと比べて、腹部側から背中側に向かう力が適切に腰椎の下部に加えられる。これにより、腰椎の過度の前湾を矯正する効果がより高くなる。
【００２０】
（７）請求項７に記載の発明は、請求項１〜６のいずれか一項に記載の姿勢改善の効果が期待できるウエアにおいて、当該ウエアは胸部に対応する胸部被覆部を含み、この胸部被覆部は前記腹部押圧部の高パワー生地よりも緊締力が弱くかつ前記側部矯正部の低パワー生地よりも緊締力が強い中パワー生地を含めて構成されるものであり、前記側部矯正部および前記腹部押圧部のそれぞれに縫い合わせられるものであることを要旨としている。
【００２１】
この発明によれば、胸部被覆部が中パワー生地を含めて構成されているため、同被覆部が高パワー生地を含めて構成されているものと比べて、胸部の圧迫感を軽減することができる。このため、ウエアの着心地がよりよいものになる。
【００２２】
（８）請求項８に記載の発明は、請求項１〜７のいずれか一項に記載の姿勢改善の効果が期待できるウエアにおいて、当該ウエアは背中に対応する背中被覆部を含み、この背中被覆部は前記腰部押圧部の高パワー生地よりも緊締力が弱くかつ前記側部矯正部の低パワー生地よりも緊締力が強い中パワー生地を含めて構成されるものであり、前記側部矯正部および前記腰部押圧部のそれぞれに縫い合わせられるものであることを要旨としている。
【００２３】
この発明によれば、背中被覆部が中パワー生地を含めて構成されているため、同被覆部が高パワー生地を含めて構成されているものと比べて、背中の圧迫感を軽減することができる。このため、ウエアの着心地がよりよいものになる。
【００２４】
（９）請求項９に記載の発明は、請求項１〜８のいずれか一項に記載の姿勢改善の効果が期待できるウエアにおいて、当該ウエアは臀部に対応する臀部被覆部を含み、この臀部被覆部は前記腰部押圧部の高パワー生地よりも緊締力が弱くかつ前記側部矯正部の低パワー生地よりも緊締力が強い中パワー生地を含めて構成されるものであり、前記側部矯正部および前記腰部押圧部のそれぞれに縫い合わせられるものであることを要旨としている。
【００２５】
この発明によれば、臀部被覆部が中パワー生地を含めて構成されているため、同被覆部が高パワー生地を含めて構成されているものと比べて、臀部の圧迫感を軽減することができる。このため、ウエアの着心地がよりよいものになる。
【００２６】
（１０）請求項１０に記載の発明は、請求項１〜９のいずれか一項に記載の姿勢改善の効果が期待できるウエアにおいて、当該ウエアは、大腿の上部に対応する大腿被覆部を含み、この大腿被覆部は前記腹部押圧部の高パワー生地よりも緊締力が弱くかつ前記側部矯正部の低パワー生地よりも緊締力が強い中パワー生地を含めて構成されるものであり、前記側部矯正部および前記腹部押圧部のそれぞれに縫い合わせられるものであることを要旨としている。
【００２７】
この発明によれば、大腿被覆部が中パワー生地を含めて構成されているため、同被覆部が高パワー生地を含めて構成されているものと比べて、大腿の上部の圧迫感を軽減することができる。このため、ウエアの着心地がよりよいものになる。
【図面の簡単な説明】
【００２８】
【図１】本発明の一実施形態における姿勢改善の効果が期待できるウエアについて、これを着衣した人体の上半身の前面を示す正面図。
【図２】同実施形態の姿勢改善の効果が期待できるウエアについて、これを着衣した人体の上半身の背面を示す背面図。
【図３】同実施形態の姿勢改善の効果が期待できるウエアについて、これを着衣した人体の上半身の側面を示す側面図。
【図４】同実施形態の姿勢改善の効果が期待できるウエアについて、その正面構造を示す正面図。
【図５】同実施形態の姿勢改善の効果が期待できるウエアについて、その背面構造を示す背面図。
【図６】同実施形態の姿勢改善の効果が期待できるウエアについて、その側面構造を示す側面図。
【図７】本発明の別の一実施形態における姿勢改善の効果が期待できるウエアについて、その側面構造を示す側面図。
【図８】本発明の別の一実施形態における姿勢改善の効果が期待できるウエアについて、その正面構造を示す正面図。
【図９】本発明の別の一実施形態における姿勢改善の効果が期待できるウエアについて、その正面構造を示す正面図。
【図１０】本発明の別の一実施形態における姿勢改善の効果が期待できるウエアについて、その背面構造を示す背面図。
【発明を実施するための形態】
【００２９】
図１〜図６を参照して、本発明の一実施形態について説明する。
図１〜図３に姿勢改善の効果が期待できるウエアを着衣した人体の上半身を示す。図１では、人体の右半身を骨格図、左半身を筋肉図とし、図２では、人体の右半身を筋肉図、左半身を骨格図としてそれぞれの部位を示している。図３では、人体の左半身を骨格図としてそれぞれの部位を示している。なお以降では、人体の前後方向において所定の部位よりも前方および後方をそれぞれ「前側」および「後側」とする。また、人体の左右方向において所定の部位よりも右方および左方をそれぞれ「右側」および「左側」とする。また、人体の上下方向において所定の部位よりも上方および下方をそれぞれ「上側」および「下側」とする。また、人体の左右方向において所定部位に対して体軸側を「内側」とし、所定部位に対して体軸側とは反対側を「外側」とする。
【００３０】
人体の上半身は、胸部１００および腹部２００および大腿３００の一部および背中４００および腰部５００および臀部６００を含む。胸部１００は、上肢との付根部分の下部にある脇下１０１を含む。腹部２００は、上腹部２１０および中腹部２２０および下腹部２３０を含む。腰部５００の上下方向の中間部には、ウエスト２４０が形成されている。
【００３１】
背中４００の骨格は、背中４００の上端から下端にかけて位置する胸椎４１０および肩甲骨４０１を含む。腰部５００の骨格は、腰部５００の上端から下端にかけて位置する腰椎５１０を含む。腰椎５１０は、第１腰椎５１１および第２腰椎５１２および第３腰椎５１３および第４腰椎５１４および第５腰椎５１５を含む。腰椎５１０の中央部は、第３腰椎５１３およびその付近であり、腰椎５１０を人体の側部からみたときに最も前側に突出した部分であり、前湾した腰椎５１０の頂点およびその付近を形成する部分である。
【００３２】
腹部２００の筋肉は、胸部１００の下部から下腹部２３０の中間部にかけて位置する腹直筋２０１を含む。大腿３００の筋肉は、中腹部２２０の中間部から大腿３００外側の上部にかけて位置する大腿筋膜張筋３０１を含む。背中４００の筋肉は、脇下１０１から腰部５００の中間部にかけて位置する広背筋４０２を含む。臀部６００の筋肉は、臀部６００の全体にわたり位置する大臀筋６０１と、これと連続して同大臀筋６０１の上方に位置する中臀筋６０２とを含む。
【００３３】
図４〜図６を参照して、矯正下着１０の構造について説明する。本実施形態では、上肢を覆う部分を含まないランニングタイプの矯正下着として本発明の姿勢改善の効果が期待できるウエアを具体化した一例を示している。なお、図４〜図６では、矯正下着１０を構成する各生地同士の境界の部分を実線で示している。
【００３４】
矯正下着１０は、胸部１００の上端から大腿３００の上部までの丈を有する。
矯正下着１０には、上半身の各部位にそれぞれ対応する以下の部位が設けられている。
・腰椎５１０を矯正するための部位として、人体の左右のそれぞれの側面に対応して設けられた側部矯正部２０。
・腰椎５１０を矯正するための部位として、腹部２００に対応して設けられて腹部２００を前側から後側に向けて押圧するための腹部押圧部３０。
・腰椎５１０を矯正するための部位として、腰部５００に対応して設けられて腰部５００を後側から前側に向けて押圧するための腰部押圧部４０。
・胸部１００に対応して設けられた胸部被覆部５０。
・大腿３００に対応して設けられた大腿被覆部６０。
・背中４００に対応して設けられた背中被覆部７０。
・臀部６００に対応して設けられた臀部被覆部８０。
【００３５】
矯正下着１０を構成する生地について説明する。
矯正下着１０は、生地の緊締力が強い複数の高パワー生地と、高パワー生地よりも緊締力が弱い複数の低パワー生地と、低パワー生地よりも緊締力が強くかつ高パワー生地よりも緊締力が弱い複数の中パワー生地とが互いに縫い合わせられることにより構成されている。
【００３６】
高パワー生地は、同下着１０が着衣された際に人体を押す力が強い。低パワー生地は、同下着１０が着衣された際に人体を押す力が弱い。中パワー生地は、一般の下着に用いられる生地と同程度の緊締力を有する。
【００３７】
各パワー生地は、以下の伸縮性を有する。
・中パワー生地は、一般の下着に用いられる生地と同程度の伸縮性を有する。
・低パワー生地は、中パワー生地よりも伸縮性が低く、かつ上下方向および左右方向および斜め方向の全ての方向において伸縮性が非常に低い。
【００３８】
・高パワー生地は、中パワー生地よりも伸縮性が低くかつ低パワー生地よりも伸縮性が高い。
胸部被覆部５０および大腿被覆部６０および背中被覆部７０および臀部被覆部８０は中パワー生地により構成されている。また、腹部押圧部３０および腰部押圧部４０は高パワー生地により構成されている。また、側部矯正部２０は低パワー生地により構成されている。
【００３９】
各生地の緊締力および伸縮性の関係を以下に示す。
・胸部被覆部５０および大腿被覆部６０および背中被覆部７０および臀部被覆部８０をそれぞれ構成する中パワー生地は、互いに同じ緊締力および伸縮性を有する。
・腹部押圧部３０および腰部押圧部４０をそれぞれ構成する高パワー生地は、互いに同じ緊締力および伸縮性を有する。
【００４０】
矯正下着１０の詳細な構造について説明する。
首まわりの開口部を形成する各生地の縁、すなわち胸部被覆部５０の上側の縁および背中被覆部７０の上側の縁には、生地が二重に重ね合わされた上側縫合部９１が形成されている。
【００４１】
胴まわりの開口部を形成する各生地の縁、すなわち腹部押圧部３０の下側の縁および大腿被覆部６０の下側の縁および側部矯正部２０の下側の縁および臀部被覆部８０の下側の縁には、生地が二重に重ね合わされた下側縫合部９２が形成されている。
【００４２】
肩まわりの開口部を形成する各生地の縁、すなわち胸部被覆部５０の横側の縁および側部矯正部２０の上側の縁および背中被覆部７０の横側の縁には、生地が二重に重ね合わされた横側縫合部９３が形成されている。
【００４３】
側部矯正部２０は、好ましい腰椎５１０の形状に沿うように形成されている。具体的には、その上端から中間部までにわたり設けられた矯正部上部２１と、同上部２１と連続して中間部から側部矯正部２０の下端までにわたり設けられた矯正部下部２２とにより構成されている。矯正部上部２１は、上側から下側に向かうにつれて後側から前側に傾斜している。矯正部下部２２は、上側から下側に向かうにつれて前側から後側に傾斜している。矯正部上部２１の下端および矯正部下部２２の上端が連続する部分およびその付近には、後側から前側に向けて突出する矯正部頂部２３が形成されている。
【００４４】
側部矯正部２０は、前湾形状をなす前側縁２６、および前湾形状をなす後側縁２７、および前側縁２６の上端と後側縁２７の上端とを結ぶ上側縁２４、および前側縁２６の下端と後側縁２７の下端とを結ぶ下側縁２５に囲まれて形成されている。側部矯正部２０の前後方向の幅は、人体の側部に対応した大きさに設定されている。矯正部頂部２３の前後方向の幅は、同頂部２３よりも上方の部分および同頂部２３よりも下方の部分の幅よりも大きい。
【００４５】
腹部押圧部３０は、矯正下着１０のほぼ中間部に位置する上側縁３２、および矯正下着１０の下端に位置する下側縁３３、および上側縁３２の右側端部と下側縁３３の右側端部とを結ぶ右側縁３４、および上側縁３２の左側端部と下側縁３３の左側端部とを結ぶ左側縁３５に囲まれて形成されている。腹部押圧部３０の左右方向の幅は、下側から上側に向かうにつれて次第に大きくなる。
【００４６】
腰部押圧部４０は、右側の矯正部上部２１と左側の矯正部上部２１との間に位置する上側縁４１、および右側の矯正部下部２２と左側の矯正部下部２２との間に位置する下側縁４２、および側部矯正部２０の前湾に沿うとともに上側縁４１と下側縁４２とを結ぶ右側縁４３、および側部矯正部２０の前湾に沿うとともに上側縁４１と下側縁４２とを結ぶ左側縁４４に囲まれて形成されている。腰部押圧部４０の上下方向の幅は、外側から内側に向かうにつれて次第に小さくなる。同押圧部４０の左右方向の幅は、上端および下端のそれぞれから中央部に向かうにつれて次第に大きくなる。すなわち、同押圧部４０の左右方向の幅は、同押圧部４０の中央部において最も大きい。
【００４７】
矯正下着１０を構成する各生地は以下のように縫い合わせられている。
・側部矯正部２０の上側縁２４は、横側縫合部９３に縫い合わせられている。
・側部矯正部２０の下側縁２５は、下側縫合部９２に縫い合わせられている。
・側部矯正部２０の前側縁２６は、胸部被覆部５０の横側の縁および腹部押圧部３０の側部の上部（以下、この部位を「腹部上端部３１」とする）および大腿被覆部６０の後側の縁にそれぞれ縫い合わせられている。
・側部矯正部２０の後側縁２７は、背中被覆部７０の横側の縁および腰部押圧部４０の右側縁４３および左側縁４４および臀部被覆部８０の右側の縁および左側の縁にそれぞれ縫い合わせられている。
・腹部押圧部３０の上側縁３２は、胸部被覆部５０の下側の縁に縫い合わせられている。
・腹部押圧部３０の下側縁３３は、下側縫合部９２に縫い合わせられている。
・腹部押圧部３０の右側縁３４および左側縁３５は、大腿被覆部６０の前側の縁に縫い合わせられている。
・腰部押圧部４０の上側縁４１は、背中被覆部７０の下側の縁に縫い合わせられている。
・腰部押圧部４０の下側縁４２は、臀部被覆部８０の上側の縁に縫い合わせられている。
【００４８】
図１〜図３を参照して、人体に矯正下着１０が着衣された状態においての人体と矯正下着１０との関係について説明する。なお、図１〜図３の実線は人体を、また二点鎖線は矯正下着１０のアウトラインおよび縫い目をそれぞれ示している。
【００４９】
矯正部上部２１は、胸椎４１０および第１腰椎５１１〜第３腰椎５１３の形状に沿うように脇下１０１からウエスト２４０付近までの部分を覆う。矯正部下部２２は、第４腰椎５１４および第５腰椎５１５の形状に沿うようにウエスト２４０付近から大腿３００内側の上部までの部分を覆う。腹部押圧部３０は、ウエスト２４０から大腿３００正面の左右方向の中間部までの部分を覆う。腰部押圧部４０は、広背筋４０２の上端から大臀筋６０１の上部までの部分を覆う。胸部被覆部５０は、胸部１００および上腹部２１０の全体を覆う。大腿被覆部６０は、大腿筋膜張筋３０１の上端から同筋３０１の下端かつ大腿３００正面の左右方向の中間部までの部分と、大腿３００側部の上部の外側までの部分と、背面における大腿３００上部の外側とを覆う。背中被覆部７０は、背中４００の上端から肩甲骨４０１の下端までの部分を覆う。臀部被覆部８０は、大臀筋６０１の全体を覆う。
【００５０】
ここで、側部矯正部２０の前側縁２６および後側縁２７のそれぞれの形成位置の詳細について説明する。なお、人体の上半身の各部位に対応する矯正下着１０の各部位をそれぞれ以下のように定義する。
・体軸Ｘよりも前側の脇下１０１に対応する部位を「部位Ｆ１」とする。
・上下方向において腰椎５１０の中央部に対応し、かつ上腹部２１０および中腹部２２０の正面側部に対応する部位を「部位Ｆ２」とする。
・体軸Ｘよりも後側の大腿３００背面側部の上部に対応する部位を「部位Ｆ３」とする。
・体軸Ｘよりも後側の脇下１０１付近に対応する部位を「部位Ｒ１」とする。
・上下方向において腰椎５１０の中央部に対応し、かつ腰部５００の背面側部に対応する部位を「部位Ｒ２」とする。
・大腿３００背面の左右方向の中間部に対応する部位を「部位Ｒ３」とする。
【００５１】
前側縁２６は、部位Ｆ１から部位Ｆ２を介して部位Ｆ３までにわたり形成されている。また後側縁２７は、部位Ｒ１から部位Ｒ２を介して部位Ｒ３までにわたり形成されている。なお、部位Ｆ２および部位Ｒ２は、前湾した腰椎５１０の頂点すなわち第３腰椎５１３およびその付近に相当する。
【００５２】
図１〜図３を参照して、人体に矯正下着１０が着衣されたときに人体の各部に加えられる力について説明する。なお、図１〜図３の各矢印は、矯正下着１０が着衣されたときに人体に加えられる力の方向を示している。
【００５３】
腹直筋２０１には、ウエスト２４０から大腿３００内側の上部までにわたり設けられた腹部押圧部３０の力により、図１および図４および図６において矢印ＺＡで示される力、すなわち腹直筋２０１を前側から後側に向けて押す力が加えられる。また、腹部上端部３１と矯正部上部２１とが縫い合わせられているため、矢印ＺＡで示される力は下腹部２３０からウエスト２４０に向けてより強く作用する。すなわち、前側から後側且つ下方から上方に向けて押す力が腹部２００に加えられる。そして、このように下腹部２３０からウエスト２４０に向けて作用する力は、第４腰椎５１４および第５腰椎５１５およびその付近を前側から後側に向けて押すため、腰椎５１０の中央部および下部を正しい位置に導く力として作用する。
【００５４】
腰部５００には、広背筋４０２の上端から大臀筋６０１の上部までにわたり設けられた腰部押圧部４０の力により、図２および図３および図５および図６において矢印ＺＢで示される力、すなわち腰部５００およびその付近を後側から前側に向けて押す力が加えられる。また、腰部押圧部４０の右側縁４３および左側縁４４と左右の側部矯正部２０の後側縁２７とが縫い合わせられているとともに、腰部押圧部４０の左右方向の幅が矯正部上部２１および矯正部下部２２の境界付近にて最も大きくなるよう構成されている。このため、腰部押圧部４０の左右方向の幅が同押圧部４０の上端から下端までにわたり一定の幅で構成されているものに比べて、矢印ＺＢで示される力は腰椎５１０の上部および中央部により強く作用する。そして、腰椎５１０の上部および中央部に作用する力は、第３腰椎５１３およびその付近を後側から前側に向けてより大きな力で押すため、腰椎５１０の上部および中央部を正しい位置に導く力として作用する。
【００５５】
このように、腹部押圧部３０により腰椎５１０の下部を前側から後側に向けて押す力と、腰部押圧部４０により腰椎５１０の上部および中央部を後側から前側に向けて押す力とが腰椎５１０に加えられることにより、腰椎５１０の過度の前湾が矯正される。
【００５６】
以上にて説明した本実施形態によれば以下の効果を奏することができる。
（１）ユーザが当該矯正下着１０を着衣したとき、腰部５００に対応する部位に設けられた腰部押圧部４０により、腰椎５１０の上部および中央部には後側から前側に向かう力が加えられる。また、腹部２００に対応する部位に設けられた腹部押圧部３０により、腰椎５１０の下部には前側から後側に向かう力が加えられる。このように腰椎５１０の上部および中央部に後側から前側に向けて加えられる力と、腰椎５１０の下部に前側から後側に向けて加えられる力とは、前湾した腰椎５１０を伸ばす力として作用するため、腰椎５１０の過度の前湾を矯正することができる。従って、腰部５００および腹部２００という高さの異なる部位に対して、それぞれ後側から前側および前側から後側に向けて力が加えられるため、腰椎５１０の過度の前湾を矯正することができる。
【００５７】
（２）さらに、腰椎５１０の上部および中央部に後側から前側に向けて加えられる力と、腰椎５１０の下部に前側から後側に向けて加えられる力とにより、過度に前湾した腰椎５１０が矯正されることに連動して胸椎４１０および頚椎が正しい位置に導かれるため、姿勢を改善することができる。
【００５８】
（３）腹部上端部３１と矯正部上部２１とが縫い合わせられているため、腹部押圧部３０により人体に対して前側から後側に加えられる力が腰椎５１０の下部、すなわち第４腰椎５１４および第５腰椎５１５およびその付近に適切に作用する。このため、腰椎５１０の過度の前湾を矯正する効果がより高くなる。
【００５９】
（４）胸部１００の上端からウエスト２４０に対応する部位に向かうにつれて後側から前側に向けて傾斜した矯正部上部２１およびウエスト２４０に対応する部位から大腿３００の上部に向かうにつれて前側から後側に向けて傾斜した矯正部下部２２を含めて側部矯正部２０が構成されている。すなわち、好ましい形状の腰椎５１０に沿うように側部矯正部２０が構成されているため、腰椎５１０の過度の前湾を矯正する効果がより高くなる。
【００６０】
（５）胸部１００に対応する部位からウエスト２４０前面の側部に対応する部位を介して大腿３００内側の上部に対応する部位までにわたり側部矯正部２０が設けられている。このため、腰椎５１０のより広い範囲に矯正のための力を作用させることができる。
【００６１】
（６）腰部押圧部４０の上端が肩甲骨４０１の下端に対応する部位に設けられている。このため、同押圧部４０の上端がこれよりも低いところに設けられているものと比べて腰椎５１０の上部および中央部に対して後側から前側に向けて加えられる力が大きくなる。これにより、腰椎５１０の過度の前湾を矯正する効果がより高くなる。また、腹部押圧部３０の上端がウエスト２４０に対応する部位に設けられている。このため、同押圧部３０の上端がこれよりも低いところに設けられているものと比べて、前側から後側に向かう力が適切に腰椎５１０の下部に加えられる。これにより、腰椎５１０の過度の前湾を矯正する効果がより高くなる。
【００６２】
（７）腹部上端部３１と矯正部上部２１とが縫い合わせられるため、腹部押圧部３０により前側から後側に加えられる力が腹部２００の下部から上部に向けて作用する。このため、腹部押圧部３０の側部の全体が側部矯正部２０に縫い合わせられるものと比べて、腰椎５１０の中央部から下部に作用する力が大きくなる。従って、腰椎５１０の過度の前湾を矯正する効果がより高くなる。
【００６３】
（８）胸部被覆部５０が中パワー生地により構成されているため、同被覆部５０が高パワー生地により構成されているものと比べて、胸部１００の圧迫感を軽減することができる。このため、矯正下着１０の着心地がよりよいものになる。
【００６４】
（９）矯正部上部２１に対して胸部被覆部５０および背中被覆部７０が縫い合わせられているとともに、矯正部下部２２に対して臀部被覆部８０および大腿被覆部６０が縫い合わせられている。このため、腰椎５１０が過度に前湾しているときには、矯正部上部２１および矯正部下部２２の伸縮性の低い生地により脇下１０１から大腿３００上部までにわたる側部が後側にひきつけられている感じをユーザに与えることができる。すなわち、ユーザに自身の姿勢が悪化していることを認識させることができる。
【００６５】
（１０）背中被覆部７０が中パワー生地により構成されているため、同被覆部７０が高パワー生地により構成されているものと比べて、背中４００の圧迫感を軽減することができる。このため矯正下着１０の着心地がよりよいものになる。
【００６６】
（１１）臀部被覆部８０が中パワー生地により構成されているため、同被覆部８０が高パワー生地により構成されているものと比べて、臀部６００の圧迫感を軽減することができる。このため、矯正下着１０の着心地がよりよいものになる。
【００６７】
（１２）大腿被覆部６０が中パワー生地により構成されているため、同被覆部６０が高パワー生地により構成されているものと比べて、大腿３００の上部の圧迫感を軽減することができる。このため矯正下着１０の着心地がよりよいものになる。また、大腿３００上部に緊締力の強い生地が設けられているものに比べて、歩行が容易になる。
【００６８】
（１３）腹直筋２０１は、腰椎５１０を支え、姿勢を保つための働きをすることが知られている。矯正下着１０には、高パワー生地により構成されて腹直筋２０１を押圧する腹部押圧部３０が設けられているため、腹部押圧部３０により腹直筋２０１に前側から後側に向けて加えられる力が腹直筋２０１の働きを補助するものとして作用する。このため、ユーザの姿勢を安定させることができる。
【００６９】
（１４）また、腹直筋２０１が押圧されて伸ばされるため、腹直筋２０１が縮んだ状態にあるときと比べて、腹直筋２０１の筋活動が活発になる。これにより、ダイエット効果を期待することができる。
【００７０】
（１５）人体においては、歩行にともない片足状態となるとき、中臀筋６０２の働きにより身体のバランスが保たれる。矯正下着１０には、高パワー生地により構成されて中臀筋６０２を押圧する腰部押圧部４０が設けられている。このため、腰部押圧部４０により中臀筋６０２に後側から前側に向けて加えられる力が中臀筋６０２の働きを補助するものとして作用する。このため、歩行時のユーザの姿勢を安定させることができる。
【００７１】
（１６）腰椎５１０の上部から中央部に後側から前側に向けて加えられる力および腰椎５１０の中央部から下部に前側から後側に向けて加えられる力により、腰椎５１０の過度の前湾が矯正されて姿勢が改善されることに基づいて、腰痛の改善効果ならびに頭痛の改善効果も期待できる。
【００７２】
（その他の実施形態）
なお、本発明の実施態様は上記実施形態に限られるものではなく、例えば以下に示すように変更することもできる。また以下の各変形例は、上記実施形態についてのみ適用されるものではなく、異なる変形例同士を互いに組み合わせて実施することもできる。
【００７３】
・上記実施形態では、上下方向において腰椎５１０の中央部に対応し、かつ上腹部２１０および中腹部２２０の正面側部に対応する部位を前湾の頂点とする前側縁２６および上下方向において腰椎５１０の中央部に対応し、かつ腰部５００の背面側部に対応する部位を前湾の頂点とする後側縁２７とを含めて構成される側部矯正部２０としたが、前側縁２６および後側縁２７を形成する位置はこれに限られるものではない。例えば、図７に示されるように、前側縁２６および後側縁２７の形成位置を上記実施形態の形成位置よりも前側に変更することもできる。すなわち、側部矯正部２０の前湾度合いを上記実施形態よりも強めることもできる。なお、同図において破線で示される側部矯正部２０の前側縁２６および後側縁２７は、上記実施形態での側部矯正部２０の前側縁２６および後側縁２７に相当する。
【００７４】
・上記実施形態では、側部矯正部２０と腹部押圧部３０とは、腹部上端部３１が矯正部上部２１に縫い合わせられるようにしたが、側部矯正部２０と腹部押圧部３０とが縫い合わせられる箇所はこれに限られない。例えば、図８に示されるように、矯正部頂部２３の全体にわたり縫い合わすこともできる。なお、同図において破線で示される腹部押圧部３０の上側縁３２および下側縁３３および右側縁３４および左側縁３５は、上記実施形態での腹部押圧部３０の上側縁３２および下側縁３３および右側縁３４および左側縁３５に相当する。
【００７５】
・上記実施形態では、図１および図３に示されるようにウエスト２４０と対応する部位に腹部押圧部３０の上側縁３２を設けたが、例えば、図９に示されるように上側縁３２の位置を変更することもできる。すなわち、図９において実線にて示されるように、ウエスト２４０よりも上方の部位と対応するところに腹部押圧部３０の上側縁を設けることもできる。
【００７６】
・上記実施形態では、図１および図３に示されるように大腿３００内側の上部と対応する部位に腹部押圧部３０の下側縁３３を設けたが、例えば、図９において一点鎖線にて示されるように、大腿３００内側の上部よりも上方の部位と対応するところに腹部押圧部３０の下側縁を設けることもできる。例えば、大腿３００の付根（鼠径部）に沿うように設けることもできる。なお、同図において破線で示される腹部押圧部３０の上側縁３２および下側縁３３は、上記実施形態での腹部押圧部３０の上側縁３２および下側縁３３に相当する。
【００７７】
・上記実施形態では、図２および図３に示されるように肩甲骨４０１の下端と対応する部位に腰部押圧部４０の上側縁４１を設けたが、例えば、図１０に示されるように上側縁４１の位置を変更することもできる。すなわち、図１０において実線にて示されるように、肩甲骨４０１よりも上方の背中４００の上端と対応するところに腰部押圧部４０の上側縁を設けることもできる。
【００７８】
・上記実施形態では、図２および図３に示されるように大臀筋６０１の上部と対応する部位に腰部押圧部４０の下側縁４２を設けたが、例えば、図１０において一点鎖線にて示されるように、大臀筋６０１の上部よりも下方の大腿３００内側の上部と対応するところに腰部押圧部４０の下側縁を設けることもできる。なお、同図において破線で示される腰部押圧部４０の上側縁４１および下側縁４２は、上記実施形態での腰部押圧部４０の上側縁４１および下側縁４２に相当する。
【００７９】
・上記実施形態では、側部矯正部２０の幅を人体の側部に対応する大きさとしたが、側部矯正部２０の幅を人体の側部に対応する大きさよりも大きくすること、またはそれよりも小さくすることもできる。
【００８０】
・上記実施形態では、側部矯正部２０の前後方向の幅を矯正部頂部２３の頂点付近が大きくなるように設定したが、同生地の前後方向の幅はこれに限られるものではない。例えば、側部矯正部２０の前後方向の幅を上下方向の全体にわたり一定の大きさに設定することもできる。
【００８１】
・上記実施形態では、胸部被覆部５０および大腿被覆部６０および背中被覆部７０および臀部被覆部８０の緊締力および伸縮性を互いに同じものとしたが、これら生地の少なくとも２つの生地の間で緊締力および伸縮性を互いに異なるものにすることもできる。
【００８２】
・上記実施形態では、腹部押圧部３０および腰部押圧部４０の緊締力および伸縮性を互いに同じものとしたが、腹部押圧部３０の緊締力および伸縮性を腰部押圧部４０のそれよりも大きくすることもできる。また、腰部押圧部４０の緊締力および伸縮性を腹部押圧部３０のそれよりも大きくすることもできる。
【００８３】
・上記実施形態では、中パワー生地として一般の下着に用いられる生地と同程度の緊締力を有するものを採用したが、高パワー生地よりも緊締力が弱いものであれば、一般の下着に用いられる生地よりも緊締力が強い生地を中パワー生地として用いることもできる。
【００８４】
・上記実施形態では、胸部１００の上端に対応する部位から大腿３００の上部に対応する部位までの丈を有する矯正下着１０としたが、矯正下着１０の丈はこれに限られない。例えば、背中４００の上下方向の中間部から臀部６００の上下方向の中間部までの丈を有するものに変更することもできる。
【００８５】
・上記実施形態では、腹部押圧部３０の左右方向の幅を上側に向かうにつれて次第に大きくしたが、腹部押圧部３０の幅を全体にわたり同じ幅に設定することもできる。
・上記実施形態では、股を覆う部分を含まないランニングタイプの下着として矯正下着１０を形成したが、股を覆う部分を含むタイプの下着として矯正下着１０を形成することもできる。
【００８６】
・上記実施形態では、上肢を覆う部分を含まないランニングタイプの下着として矯正下着１０を形成したが、上肢を覆う部分を含むタイプの下着として矯正下着１０を形成することもできる。例えば、上腕を覆う半袖のＴシャツタイプの下着とすることもできる。また、肩から手首までの部分を覆う長袖タイプの下着とすることもできる。
【００８７】
・上記実施形態では、下肢を覆う部分を含まないタイプの下着として矯正下着１０を形成したが、下肢を覆う部分を含むタイプの下着として矯正下着１０を形成することもできる。例えば、下肢を覆う部分がハーフパンツタイプの下着とすることもできる。また、下肢を覆う部分が股下から足首までの部分を覆うロングタイツタイプの下着とすることもできる。
【００８８】
・上記実施形態では、大人女性用の矯正下着１０として本発明の姿勢改善の効果が期待できるウエアを具体化したが、大人男性用または子供女児用または子供男児用の矯正下着についても本発明を適用することができる。
【００８９】
・上記実施形態では、ランニングタイプの下着として本発明の姿勢改善の効果が期待できるウエアを具体化したが、その他の下着および上衣および寝衣および水着についても本発明を適用することができる。本発明を適用することのできる下着の例としては、コルセット、ボディスーツ、オールインワンおよびタンクトップが挙げられる。また本発明を適用することのできる上衣の例としては、トレーニングウェアが挙げられる。また本発明を適用することのできる寝衣の例としては、パジャマが挙げられる。
【００９０】
要するに、胸部１００の上部に対応する部位から大腿３００の上部までに対応する部位を含む下着または上衣または寝衣または水着であれば、いずれの被服についても上記実施形態に準じた態様で本発明を適用することができる。
【００９１】
・上記実施形態では、単一の被服として本発明の姿勢改善の効果が期待できるウエアを具体化したが、複数の被服を組み合わせたものとして本発明の姿勢改善の効果が期待できるウエアを具体化することもできる。すなわち、矯正下着１０として具体化した姿勢改善の効果が期待できるウエアを上衣等の裏側に縫い付け、これを本発明の姿勢改善の効果が期待できるウエアを具体化した一態様とすることもできる。なお、このような形態で本発明を実施することのできる上衣の例としては、トレーニングウェアが挙げられる。
【符号の説明】
【００９２】
１０…矯正下着、２０…側部矯正部、２１…矯正部上部、２２…矯正部下部、２３…矯正部頂部、２４…上側縁、２５…下側縁、２６…前側縁、２７…後側縁、３０…腹部押圧部、３１…腹部上端部、３２…上側縁、３３…下側縁、３４…右側縁、３５…左側縁、４０…腰部押圧部、４１…上側縁、４２…下側縁、４３…右側縁、４４…左側縁、５０…胸部被覆部、６０…大腿被覆部、７０…背中被覆部、８０…臀部被覆部、９１…上側縫合部、９２…下側縫合部、９３…横側縫合部、１００…胸部、１０１…脇下、２００…腹部、２０１…腹直筋、２１０…上腹部、２２０…中腹部、２３０…下腹部、２４０…ウエスト、３００…大腿、３０１…大腿筋膜張筋、４００…背中、４０１…肩甲骨、４０２…広背筋、４１０…胸椎、５００…腰部、５１０…腰椎、５１１…第１腰椎、５１２…第２腰椎、５１３…第３腰椎、５１４…第４腰椎、５１５…第５腰椎、６００…臀部、６０１…大臀筋、６０２…中臀筋。
【図１】
2011256507.tif 000003
【図２】
2011256507.tif 000004
【図３】
2011256507.tif 000005
【図４】
2011256507.tif 000006
【図５】
2011256507.tif 000007
【図６】
2011256507.tif 000008
【図７】
2011256507.tif 000009
【図８】
2011256507.tif 000010
【図９】
2011256507.tif 000011
【図１０】
2011256507.tif 000012
【手続補正書】
【提出日】平成22年10月20日(2010.10.20)
【手続補正１】
【補正対象書類名】特許請求の範囲
【補正対象項目名】全文
【補正方法】変更
【補正の内容】
【特許請求の範囲】
【請求項１】
腰椎を矯正するための部位を含む姿勢改善の効果が期待できるウエアにおいて、
前記腰椎を矯正するための部位として、緊締力が強い高パワー生地を含めて構成されて腰部を押すための腰部押圧部と、前記高パワー生地を含めて構成されて腹部を押すための腹部押圧部と、前記高パワー生地よりも緊締力が弱い低パワー生地を含めて構成されて人体の側部に対応する側部矯正部とを備え、
前記腰部押圧部は、前記腹部押圧部よりも上方に位置する部分を含み、
前記側部矯正部は、前記腰部押圧部および前記腹部押圧部に縫い合わせられ、かつ人体の背中側から腹部側に向けて突出するように湾曲した部位である矯正部頂部を含み、
この矯正部頂部は、ウエストと対応する部位に設けられ、
前記腹部押圧部は、前記矯正部頂部に縫い合わせられる
ことを特徴とする姿勢改善の効果が期待できるウエア。
【請求項２】
腰椎を矯正するための部位を含む姿勢改善の効果が期待できるウエアにおいて、
前記腰椎を矯正するための部位として、緊締力が強い高パワー生地を含めて構成されて腰部を押すための腰部押圧部と、前記高パワー生地を含めて構成されて腹部を押すための腹部押圧部と、前記高パワー生地よりも緊締力が弱い低パワー生地を含めて構成されて人体の側部に対応する側部矯正部と、前記高パワー生地よりも緊締力が弱くかつ前記低パワー生地よりも緊締力が強い中パワー生地を含めて構成されて大腿の上部に対応する大腿被覆部とを備え、
前記腰部押圧部は、前記腹部押圧部よりも上方に位置する部分を含み、
前記側部矯正部は、前記腰部押圧部および前記腹部押圧部に縫い合わせられ、
前記大腿被覆部は、前記腹部押圧部と前記側部矯正部との間に設けられて前記腹部押圧部および前記側部矯正部のそれぞれに縫い合わせられる
ことを特徴とする姿勢改善の効果が期待できるウエア。
【請求項３】
請求項２に記載の姿勢改善の効果が期待できるウエアにおいて、
前記側部矯正部は、人体の背中側から腹部側に向けて突出するように湾曲した部位である矯正部頂部を含む
ことを特徴とする姿勢改善の効果が期待できるウエア。
【請求項４】
請求項１または３に記載の姿勢改善の効果が期待できるウエアにおいて、
前記側部矯正部は、人体の上下方向において当該側部矯正部の上端から前記ウエストに対応する部位までにわたり形成された矯正部上部と、この矯正部上部と連続して形成されるとともに前記ウエストに対応する部位から当該側部矯正部の下端までにわたり形成された矯正部下部とを含み、
前記矯正部頂部は、前記矯正部上部および前記矯正部下部が互いに接続される部位を含み、
前記矯正部上部は、その上端から前記ウエストに対応する部位に向かうにつれて背中側から腹部側に向けて傾斜し、
前記矯正部下部は、前記ウエストに対応する部位から同当該正部下部の下端に向かうにつれて腹部側から背中側に向けて傾斜する
ことを特徴とする姿勢改善の効果が期待できるウエア。
【請求項５】
請求項４に記載の姿勢改善の効果が期待できるウエアにおいて、
前記側部矯正部は、人体の上下方向において胸部に対応する部位からウエスト前面の側部に対応する部位を介して臀部に対応する部位までにわたり設けられる
ことを特徴とする姿勢改善の効果が期待できるウエア。
【請求項６】
請求項１または請求項３〜５のいずれか一項に記載の姿勢改善の効果が期待できるウエアにおいて、
前記腹部押圧部は、前記矯正部頂部に対して当該腹部押圧部の側部の上部である腹部上端部が縫い合わせられるものである
ことを特徴とする姿勢改善の効果が期待できるウエア。
【請求項７】
請求項１〜６のいずれか一項に記載の姿勢改善の効果が期待できるウエアにおいて、
前記腰部押圧部の上端は、背中に対応する部位に設けられ、
前記腹部押圧部の上端は、ウエストに対応する部位に設けられる
ことを特徴とする姿勢改善の効果が期待できるウエア。
【請求項８】
請求項１〜７のいずれか一項に記載の姿勢改善の効果が期待できるウエアにおいて、
当該ウエアは、胸部に対応する胸部被覆部を含み、
この胸部被覆部は、前記腹部押圧部の高パワー生地よりも緊締力が弱くかつ前記側部矯正部の低パワー生地よりも緊締力が強い中パワー生地を含めて構成されるものであり、前記側部矯正部および前記腹部押圧部のそれぞれに縫い合わせられるものである
ことを特徴とする姿勢改善の効果が期待できるウエア。
【請求項９】
請求項１〜８のいずれか一項に記載の姿勢改善の効果が期待できるウエアにおいて、
当該ウエアは、背中に対応する背中被覆部を含み、
この背中被覆部は、前記腰部押圧部の高パワー生地よりも緊締力が弱くかつ前記側部矯正部の低パワー生地よりも緊締力が強い中パワー生地を含めて構成されるものであり、前記側部矯正部および前記腰部押圧部のそれぞれに縫い合わせられるものである
ことを特徴とする姿勢改善の効果が期待できるウエア。
【請求項１０】
請求項１〜９のいずれか一項に記載の姿勢改善の効果が期待できるウエアにおいて、
当該ウエアは、臀部に対応する臀部被覆部を含み、
この臀部被覆部は、前記腰部押圧部の高パワー生地よりも緊締力が弱くかつ前記側部矯正部の低パワー生地よりも緊締力が強い中パワー生地を含めて構成されるものであり、前記側部矯正部および前記腰部押圧部のそれぞれに縫い合わせられるものである
ことを特徴とする姿勢改善の効果が期待できるウエア。
【請求項１１】
請求項１〜１０のいずれか一項に記載の姿勢改善の効果が期待できるウエアにおいて、
当該ウエアは、大腿の上部に対応する大腿被覆部を含み、
この大腿被覆部は、前記腹部押圧部の高パワー生地よりも緊締力が弱くかつ前記側部矯正部の低パワー生地よりも緊締力が強い中パワー生地を含めて構成されるものであり、前記側部矯正部および前記腹部押圧部のそれぞれに縫い合わせられるものである
ことを特徴とする姿勢改善の効果が期待できるウエア。
【手続補正２】
【補正対象書類名】明細書
【補正対象項目名】０００８
【補正方法】変更
【補正の内容】
【０００８】
以下、上記目的を達成するための手段およびその作用効果について記載する。
（１）請求項１に記載の発明は、腰椎を矯正するための部位を含む姿勢改善の効果が期待できるウエアにおいて、前記腰椎を矯正するための部位として、緊締力が強い高パワー生地を含めて構成されて腰部を押すための腰部押圧部と、前記高パワー生地を含めて構成されて腹部を押すための腹部押圧部と、前記高パワー生地よりも緊締力が弱い低パワー生地を含めて構成されて人体の側部に対応する側部矯正部とを備え、前記腰部押圧部は、前記腹部押圧部よりも上方に位置する部分を含み、前記側部矯正部は、前記腰部押圧部および前記腹部押圧部に縫い合わせられ、かつ人体の背中側から腹部側に向けて突出するように湾曲した部位である矯正部頂部を含み、この矯正部頂部は、ウエストと対応する部位に設けられ、前記腹部押圧部は、前記矯正部頂部に縫い合わせられることを要旨としている。
【手続補正３】
【補正対象書類名】明細書
【補正対象項目名】０００９
【補正方法】変更
【補正の内容】
【０００９】
この発明によれば、ユーザが当該ウエアを着衣したとき、腰部に対応する部位に設けられた腰部押圧部の高パワー生地により、腰椎の上部および中央部には背中側から腹部側に向かう力が加えられる。また、腹部に対応する部位に設けられた腹部押圧部の高パワー生地により、腰椎の下部には腹部側から背中側に向かう力が加えられる。このように腰椎の上部および中央部と、腰椎の下部とに加えられる力は、前湾した腰椎を伸ばす力として作用するため、腰椎の過度の前湾を矯正することができる。従って、腰部および腹部という高さの異なる部位に対して、それぞれ背中側から腹部側および腹部側から背中側に向けて力が加えられるため、腰椎の過度の前湾を矯正することのできる姿勢改善の効果が期待できるウエアを提供することができるようになる。
また、この発明によれば、矯正部頂部がウエストと対応する部位に設けられているため、腹部押圧部により人体に対して腹部側から背中側に加えられる力が腰椎の下部に適切に作用する。このため、腰椎の過度の前湾を矯正する効果がより高くなる。
【手続補正４】
【補正対象書類名】明細書
【補正対象項目名】００１０
【補正方法】変更
【補正の内容】
【００１０】
（２）請求項２に記載の発明は、腰椎を矯正するための部位を含む姿勢改善の効果が期待できるウエアにおいて、前記腰椎を矯正するための部位として、緊締力が強い高パワー生地を含めて構成されて腰部を押すための腰部押圧部と、前記高パワー生地を含めて構成されて腹部を押すための腹部押圧部と、前記高パワー生地よりも緊締力が弱い低パワー生地を含めて構成されて人体の側部に対応する側部矯正部と、前記高パワー生地よりも緊締力が弱くかつ前記低パワー生地よりも緊締力が強い中パワー生地を含めて構成されて大腿の上部に対応する大腿被覆部とを備え、前記腰部押圧部は、前記腹部押圧部よりも上方に位置する部分を含み、前記側部矯正部は、前記腰部押圧部および前記腹部押圧部に縫い合わせられ、前記大腿被覆部は、前記腹部押圧部と前記側部矯正部との間に設けられて前記腹部押圧部および前記側部矯正部のそれぞれに縫い合わせられることを要旨としている。
【手続補正５】
【補正対象書類名】明細書
【補正対象項目名】００１１
【補正方法】変更
【補正の内容】
【００１１】
（３）請求項３に記載の発明は、請求項２に記載の姿勢改善の効果が期待できるウエアにおいて、前記側部矯正部は、人体の背中側から腹部側に向けて突出するように湾曲した部位である矯正部頂部を含むことを要旨としている。
【手続補正６】
【補正対象書類名】明細書
【補正対象項目名】００１２
【補正方法】変更
【補正の内容】
【００１２】
（４）請求項４に記載の発明は、請求項１または３に記載の姿勢改善の効果が期待できるウエアにおいて、前記側部矯正部は、人体の上下方向において当該側部矯正部の上端から前記ウエストに対応する部位までにわたり形成された矯正部上部と、この矯正部上部と連続して形成されるとともに前記ウエストに対応する部位から当該側部矯正部の下端までにわたり形成された矯正部下部とを含み、前記矯正部頂部は、前記矯正部上部および前記矯正部下部が互いに接続される部位を含み、前記矯正部上部は、その上端から前記ウエストに対応する部位に向かうにつれて背中側から腹部側に向けて傾斜し、前記矯正部下部は、前記ウエストに対応する部位から同矯正部下部の下端に向かうにつれて腹部側から背中側に向けて傾斜することを要旨としている。
【手続補正７】
【補正対象書類名】明細書
【補正対象項目名】００１４
【補正方法】変更
【補正の内容】
【００１４】
（５）請求項５に記載の発明は、請求項４に記載の姿勢改善の効果が期待できるウエアにおいて、前記側部矯正部は、人体の上下方向において胸部に対応する部位からウエスト前面の側部に対応する部位を介して臀部に対応する部位までにわたり設けられることを要旨としている。
【手続補正８】
【補正対象書類名】明細書
【補正対象項目名】００１６
【補正方法】変更
【補正の内容】
【００１６】
（６）請求項６に記載の発明は、請求項１または請求項３〜５のいずれか一項に記載の姿勢改善の効果が期待できるウエアにおいて、前記腹部押圧部は、前記矯正部頂部に対して当該腹部押圧部の側部の上部である腹部上端部が縫い合わせられるものであることを要旨としている。
【手続補正９】
【補正対象書類名】明細書
【補正対象項目名】００１８
【補正方法】変更
【補正の内容】
【００１８】
（７）請求項７に記載の発明は、請求項１〜６のいずれか一項に記載の姿勢改善の効果が期待できるウエアにおいて、前記腰部押圧部の上端は背中に対応する部位に設けられ、前記腹部押圧部の上端はウエストに対応する部位に設けられることを要旨としている。
【手続補正１０】
【補正対象書類名】明細書
【補正対象項目名】００２０
【補正方法】変更
【補正の内容】
【００２０】
（８）請求項８に記載の発明は、請求項１〜７のいずれか一項に記載の姿勢改善の効果が期待できるウエアにおいて、当該ウエアは胸部に対応する胸部被覆部を含み、この胸部被覆部は前記腹部押圧部の高パワー生地よりも緊締力が弱くかつ前記側部矯正部の低パワー生地よりも緊締力が強い中パワー生地を含めて構成されるものであり、前記側部矯正部および前記腹部押圧部のそれぞれに縫い合わせられるものであることを要旨としている。
【手続補正１１】
【補正対象書類名】明細書
【補正対象項目名】００２２
【補正方法】変更
【補正の内容】
【００２２】
（９）請求項９に記載の発明は、請求項１〜８のいずれか一項に記載の姿勢改善の効果が期待できるウエアにおいて、当該ウエアは背中に対応する背中被覆部を含み、この背中被覆部は前記腰部押圧部の高パワー生地よりも緊締力が弱くかつ前記側部矯正部の低パワー生地よりも緊締力が強い中パワー生地を含めて構成されるものであり、前記側部矯正部および前記腰部押圧部のそれぞれに縫い合わせられるものであることを要旨としている。
【手続補正１２】
【補正対象書類名】明細書
【補正対象項目名】００２４
【補正方法】変更
【補正の内容】
【００２４】
（１０）請求項１０に記載の発明は、請求項１〜９のいずれか一項に記載の姿勢改善の効果が期待できるウエアにおいて、当該ウエアは臀部に対応する臀部被覆部を含み、この臀部被覆部は前記腰部押圧部の高パワー生地よりも緊締力が弱くかつ前記側部矯正部の低パワー生地よりも緊締力が強い中パワー生地を含めて構成されるものであり、前記側部矯正部および前記腰部押圧部のそれぞれに縫い合わせられるものであることを要旨としている。
【手続補正１３】
【補正対象書類名】明細書
【補正対象項目名】００２６
【補正方法】変更
【補正の内容】
【００２６】
（１１）請求項１１に記載の発明は、請求項１〜１０のいずれか一項に記載の姿勢改善の効果が期待できるウエアにおいて、当該ウエアは、大腿の上部に対応する大腿被覆部を含み、この大腿被覆部は前記腹部押圧部の高パワー生地よりも緊締力が弱くかつ前記側部矯正部の低パワー生地よりも緊締力が強い中パワー生地を含めて構成されるものであり、前記側部矯正部および前記腹部押圧部のそれぞれに縫い合わせられるものであることを要旨としている。